(57)【要約】  画像を表示するための表示パネル１は、光学的状態を持つ複数の画素２、及び前記画像に対する画像更新を制御するためのコントローラ１０、１１、１００を持つ。表示パネル１が増大された情報量を表示することを可能とするため、コントローラ１０、１１、１００は、画像更新の少なくとも一部の間、画素２をリセットするためのリセット光学的状態を画素２に与え、これによりリセット画像情報を表すリセット画像を表示し、次いで画像情報を表す画像を表示するための光学的状態を画素２に与えるように構成される。ここで、リセット画像は前記画像と関連のないものである。
2008537159.tif 000002
【特許請求の範囲】
【請求項１】
画像を表示するための表示パネルであって、前記表示パネルは、
光学的状態を持つ複数の画素と、
前記画像に対する画像更新を制御するためのコントローラと、
を有し、前記コントローラは、
前記画像更新の少なくとも一部の間、前記画素をリセットするためのリセット光学的状態を前記画素に与え、これによりリセット画像情報を表すリセット画像を表示し、次いで、
画像情報を表す前記画像を表示するための光学的状態を前記画素に与えるように構成され、前記リセット画像は前記画像と関連のないものである表示パネル。
【請求項２】
前記コントローラは、前記画素をリセットするためのリセット光学的状態を前記画素に与える前に、以前の画像情報を表す以前の画像を表示するための光学的状態を前記画素に与えるように構成され、前記リセット画像は前記以前の画像と関連のないものであることを特徴とする、請求項１に記載の表示パネル。
【請求項３】
前記リセット画像情報は広告画像情報を有することを特徴とする、請求項１に記載の表示パネル。
【請求項４】
前記リセット画像を表示する継続時間は調節可能であることを特徴とする、請求項１に記載の表示パネル。
【請求項５】
各前記画素は流動体中の荷電粒子を有する電気泳動媒体を有し、各前記画素の光学的状態は前記画素中の前記粒子の位置に依存し、前記コントローラは、駆動手段と、各前記画素について電位差を受信するための電極とを有し、前記駆動手段は、
前記画素にリセット光学的状態を与えるためのリセット電位差を供給し、次いで
前記画素に前記画像を表示するための光学的状態を与えるための画像電位差を供給するように構成されたことを特徴とする、請求項１に記載の表示パネル。
【請求項６】
前記リセット電位差は調節可能な継続時間を持つことを特徴とする、請求項５に記載の表示パネル。
【請求項７】
各前記画素について、前記荷電粒子は、前記電極に近い端位置の一方である位置、及び前記電極間の中間位置を占有することが可能であることを特徴とする、請求項５に記載の表示パネル。
【請求項８】
各前記画素について、前記リセット電位差は、リセット値と、前記粒子が前記端位置の一方を略占有することを可能とするためのリセット継続時間とを持つことを特徴とする、請求項７に記載の表示パネル。
【請求項９】
前記画素の少なくとも幾つかについて、前記リセット電位差は追加的なリセット継続時間を持つことを特徴とする、請求項８に記載の表示パネル。
【請求項１０】
各前記追加的なリセット継続時間は基準継続時間の１０分の１よりも長く、前記基準継続時間は、それぞれの前記画素の前記粒子の位置を、前記端位置の一方から、前記端位置の他方へと変化させるための継続時間に等しいことを特徴とする、請求項９に記載の表示パネル。
【請求項１１】
前記幾つかの画素の各々について、それぞれのリセット継続時間及びそれぞれの追加的なリセット継続時間は、一定値に略等しいそれぞれの合計を持つことを特徴とする、請求項９に記載の表示パネル。
【請求項１２】
前記幾つかの画素の各々について、それぞれの電位差は、リセット電位差となる前の予め設定された電位差のシーケンスであり、前記予め設定された電位差のシーケンスは予め設定された値と関連する予め設定された継続時間とを持ち、前記シーケンス中の前記予め設定された値の符号は交番し、各前記予め設定された電位差は、前記端位置の一方に存在する粒子を該位置から離すのに十分であり且つ前記粒子が前記端位置の他方へと到達することを可能とするには不十分である予め設定されたエネルギーを表すことを特徴とする、請求項８に記載の表示パネル。
【請求項１３】
請求項１に記載の表示パネルと、前記表示パネルに画像情報を供給するための回路とを有する表示装置。
【請求項１４】
画像を表示するための表示パネルのためのコントローラであって、前記表示パネルは光学的状態を持つ複数の画素を有し、前記コントローラは前記画像に対する画像更新を制御し、前記コントローラは、
前記画像更新の少なくとも一部の間、前記画素をリセットするためのリセット光学的状態を前記画素に与え、これによりリセット画像情報を表すリセット画像を表示し、次いで、
画像情報を表す前記画像を表示するための光学的状態を前記画素に与えるように構成され、前記リセット画像は前記画像と関連のないものであるコントローラ。
【請求項１５】
画像を表示するための表示パネルを駆動するための方法であって、前記表示パネルは光学的状態を持つ複数の画素を有し、前記方法は、
前記画像更新の少なくとも一部の間、前記画素をリセットするためのリセット光学的状態を前記画素に与え、これによりリセット画像情報を表すリセット画像を表示するステップと、次いで、
画像情報を表す前記画像を表示するための光学的状態を前記画素に与えるステップと、
を有し、前記リセット画像は前記画像と関連のないものである方法。
【請求項１６】
前記リセット画像情報は広告画像情報を有し、前記リセット画像を表示する継続時間は調節可能であることを特徴とする、請求項１５に記載の方法。
【請求項１７】
前記リセット画像を表示する継続時間は、サービスプロバイダに関連するサーバによって提供されることを特徴とする、請求項１６に記載の方法。
【請求項１８】
前記サーバは、前記サービスプロバイダに支払われた金額に基づいて、前記リセット画像を表示する継続時間を選択することを特徴とする、請求項１７に記載の方法。
【請求項１９】
表示パネル用の情報及び／又は前記情報の表示時間を販売する方法であって、前記情報はリセット画像情報を有し、画像を表示するための前記表示パネルが、
光学的状態を持つ複数の画素と、
コントローラと、
を有し、前記コントローラは、
前記画素をリセットするためのリセット光学的状態を前記画素に与え、これによりリセット画像情報を表すリセット画像を表示し、次いで、
画像情報を表す前記画像を表示するための光学的状態を前記画素に与えるように構成され、前記リセット画像は前記画像と関連のないものである方法。
【発明の詳細な説明】
【技術分野】
【０００１】
本発明は、画像を表示するための表示パネルに関する。
【０００２】
本発明はまた、斯かる表示パネルを有する表示装置に関する。
【０００３】
本発明は更に、斯かる表示パネルのためのコントローラ、斯かる表示パネルを駆動するための方法、及び斯かる表示パネル用の情報及び／又は前記情報の表示時間を販売する方法に関する。
【背景技術】
【０００４】
最初のパラグラフにおいて言及されたタイプの表示パネルは、電気泳動表示パネルである。
【０００５】
電気泳動表示パネルは一般に、電極間の電場の影響下の、帯電し通常は着色された流動体中の粒子の運動に基づく。これらの表示パネルを用いると、明るい又は色付きの背景に、暗い又は色付きのキャラクタが描写されることができ、その逆も成り立つ。電気泳動表示パネルそれ故、例えば電子新聞及び電子日記のような、「paper white」アプリケーションと呼ばれる、紙の機能に取って代わる表示装置において特に利用される。
【発明の開示】
【発明が解決しようとする課題】
【０００６】
電気泳動表示パネルは、米国特許US6,704,113に開示されている。該開示されている電気泳動表示パネルは、複数の画素を持つ。各画素は、それぞれの画素の電極に近い端位置、及びそれぞれの画素の電極間の中間位置を占有することが可能な粒子を持つ。各画素は、粒子の位置に依存する光学的状態を持つ。該光学的状態は、電極が受ける電位差と、それぞれの電位差の履歴に依存する。コントローラが、画素をリセットするために電位差を制御するように構成され、このことは履歴に対する依存度を減少させる。結果として、粒子は端位置に移動させられ、画素は相互に等しいリセットされた光学状態を持つこととなる。このとき表示パネルは、例えば白色の流動体中の黒色粒子の場合、黒又は白の画像を呈する。次いで、コントローラが、画像情報を表す画像を表示するための光学状態を画素に与えるように電位差を制御するよう構成される。しかしながら、このようにして表示される情報量は、比較的少ない。
【０００７】
本発明の目的は、増大された情報量を表示することが可能な、最初のパラグラフにおいて言及された種類の表示パネルを提供することにある。
【課題を解決するための手段】
【０００８】
本目的を達成するため、本発明は、画像を表示するための表示パネルであって、前記表示パネルは、
光学的状態を持つ複数の画素と、
前記画像に対する画像更新を制御するためのコントローラと、
を有し、前記コントローラは、
前記画像更新の少なくとも一部の間、前記画素をリセットするためのリセット光学的状態を前記画素に与え、これによりリセット画像情報を表すリセット画像を表示し、次いで、
画像情報を表す前記画像を表示するための光学的状態を前記画素に与えるように構成され、前記リセット画像は前記画像と関連のないものである表示パネルを提供する。
【０００９】
本発明は、リセット画像（reset image）は、前記画像に関係のない情報内容を表しても良いという洞察に基づく。該情報内容は例えば、広告情報に関連しても良い。このことは、リセット画像が黒又は白であり、情報内容を表さない、米国特許US6,704,113に開示された電気泳動表示パネルとは対照的である。
【００１０】
このことはまた、表示パネルが画像の推定値をリセット画像として表示する、国際特許出願公開WO2004/034366-A1に開示された電気泳動表示パネルとも対照的である。この場合、観測者は、画像の推定値を介した該画像への比較的滑らかな遷移を知覚する。しかしながら、前記リセット画像は、情報内容を表すが、前記画像とは関連しない。
【００１１】
画像をリセットすることは、例えば極端な光学的状態のような状態に画素を変化させることと考えることができ、該状態から次の状態が正しく得られる。それ故、リセットは画像更新の一部である。
【００１２】
実施例においては、前記コントローラは、前記画素をリセットするためのリセット光学的状態を前記画素に与える前に、以前の画像情報を表す以前の画像を表示するための光学的状態を前記画素に与えるように構成され、前記リセット画像は前記以前の画像と関連のないものである。このとき、リセット画像は、以前の画像と現画像との間、即ち画像更新の一部の間に表示される。
【００１３】
リセット画像情報は、いずれの有益な画像情報又は装飾的な画像情報を有しても良い。実施例においては、前記リセット画像情報は広告画像情報を有する。このとき前記リセット画像は、例えばユーザによって要求されていない広告画像を、リセット画像として以前の画像と現画像との間に挿入するために利用されても良い。このようにして、リセット画像は、広告の露出が保証された、例えば電子書籍、電子新聞、電子雑誌のための、情報を販売するためのビジネスモデルの基礎を形成する。なぜなら、ページが変更される度に、又は所定の数のページが変更された後に、広告画像が出現するからである。例えば、リセット画像を表示する間隔は、予め定義されていても良い。本実施例に対する変形例においては、前記リセット画像を表示する継続時間は調節可能である。
【００１４】
他の実施例においては、前記表示パネルは電気泳動表示パネルであり、各前記画素は流動体中の荷電粒子を有する電気泳動媒体を有し、各前記画素の光学的状態は前記画素中の前記粒子の位置に依存し、前記コントローラは、駆動手段と、各前記画素について電位差を受信するための電極とを有し、前記駆動手段は、
前記画素にリセット光学的状態を与えるためのリセット電位差を供給し、次いで
前記画素に前記画像を表示するための光学的状態を与えるための画像電位差を供給するように構成される。この種の表示パネルにおいては、画像の更新は、電極に電位差を印加することにより、比較的単純に達成される。本実施例に対する変形例においては、リセット電位差は調節可能な継続時間を持ち、このことはビジネスモデルを組み込む比較的単純な方法である。粒子は、観測者に対して略平行な平面を移動する（即ち所謂平面移動）か、又は観測者に対して略垂直な平面を移動し（即ち所謂垂直移動）得る。両方の実施例の例において、各前記画素について、前記荷電粒子は、前記電極に近い端位置の一方である位置、及び前記電極間の中間位置を占有することが可能である。更に、各前記画素について、前記リセット電位差は、リセット値と、前記粒子が前記端位置の一方を略占有することを可能とするためのリセット継続時間とを持つ場合、画素の光学的状態の、電位差の履歴に対する依存度は、低減される。粒子は、例えば該粒子が電力の表面に存在する場合には、端位置を略占有する。しかしながら、このとき、光学的状態に対して無視できる寄与を持つ幾つかの粒子が、電極の表面には存在しないということが依然として起こり得る。更に、全ての粒子が電極の表面に存在することができないほど粒子の数が多い場合には、粒子の一部は、電極の表面における粒子の近くの位置のみを占有し得ることは明らかであろう。
【００１５】
本実施例に対する変形例においては、前記画素の少なくとも幾つかについて、前記リセット電位差は追加的なリセット継続時間を持つ。画素の数は、サブセットによって示される。サブセットの各画素について、粒子を端位置の一方に移動させる推進力は比較的長い時間間隔の間存在し、履歴に対する画素の光学的状態の減少された依存度に帰着する。
【００１６】
更に、特に基準継続時間の１０分の１よりも長い追加的なリセット継続時間が、履歴に対する画素の光学的状態の依存度を大きく減少させることが観測された。画素の基準継続時間は、画素の粒子の位置を、一方の端位置から、他方の端位置へと移動させるための継続時間に等しい。それ故、各前記追加的なリセット継続時間は基準継続時間の１０分の１よりも長く、前記基準継続時間は、それぞれの前記画素の前記粒子の位置を、前記端位置の一方から、前記端位置の他方へと変化させるための継続時間に等しい場合、好適である。
【００１７】
また、前記幾つかの画素の各々について、それぞれのリセット継続時間及びそれぞれの追加的なリセット継続時間は、一定値に略等しいそれぞれの合計を持つ場合、好適である。このとき、リセット電位差は、駆動手段によって比較的容易に制御されることができる。更に、前記幾つかの画素の各々について、それぞれの電位差は、リセット電位差となる前の予め設定された電位差のシーケンスであり、前記予め設定された電位差のシーケンスは予め設定された値と関連する予め設定された継続時間とを持ち、前記シーケンス中の前記予め設定された値の符号は交番し、各前記予め設定された電位差は、前記端位置の一方に存在する粒子を該位置から離すのに十分であり且つ前記粒子が前記端位置の他方へと到達することを可能とするには不十分である予め設定されたエネルギーを表す場合、好適である。利点として、予め設定された電位差のシーケンスが、電位差の履歴に対する画素の光学的状態の依存度を減少させる。
【００１８】
電気泳動表示パネルは、例えば案内標識、公共交通標識、広告ポスター、値札、掲示板等の形態で情報が表示され得る、種々の用途の基礎を形成し得る。
【００１９】
本発明の他の態様は、請求項１に記載の表示パネルと、前記表示パネルに画像情報を供給するための回路とを有する表示装置を提供する。
【００２０】
本発明の他の態様は、画像を表示するための表示パネルのためのコントローラであって、前記表示パネルは光学的状態を持つ複数の画素を有し、前記コントローラは前記画像に対する画像更新を制御し、前記コントローラは、
前記画像更新の少なくとも一部の間、前記画素をリセットするためのリセット光学的状態を前記画素に与え、これによりリセット画像情報を表すリセット画像を表示し、次いで、
画像情報を表す前記画像を表示するための光学的状態を前記画素に与えるように構成され、前記リセット画像は前記画像と関連のないものであるコントローラを提供する。
【００２１】
本発明の他の態様は、画像を表示するための表示パネルを駆動するための方法であって、前記表示パネルは光学的状態を持つ複数の画素を有し、前記方法は、
前記画像更新の少なくとも一部の間、前記画素をリセットするためのリセット光学的状態を前記画素に与え、これによりリセット画像情報を表すリセット画像を表示するステップと、次いで、
画像情報を表す前記画像を表示するための光学的状態を前記画素に与えるステップと、
を有し、前記リセット画像は前記画像と関連のないものである方法を提供する。
【００２２】
実施例においては、前記リセット画像情報は広告画像情報を有し、前記リセット画像を表示する継続時間は調節可能である。本実施例に対する変形例においては、前記リセット画像を表示する継続時間は、サービスプロバイダに関連するサーバによって提供される。本実施例に対する変形例においては、前記サーバは、前記サービスプロバイダに支払われた金額に基づいて、前記リセット画像を表示する継続時間を選択する。
【００２３】
本発明の他の態様は、表示パネル用の情報及び／又は前記情報の表示時間を販売する方法であって、前記情報はリセット画像情報を有し、画像を表示するための前記表示パネルが、
光学的状態を持つ複数の画素と、
コントローラと、
を有し、前記コントローラは、
前記画素をリセットするためのリセット光学的状態を前記画素に与え、これによりリセット画像情報を表すリセット画像を表示し、次いで、
画像情報を表す前記画像を表示するための光学的状態を前記画素に与えるように構成され、前記リセット画像は前記画像と関連のないものである方法を提供する。
【００２４】
特定の手段が異なる請求項に記載されているという単なる事実は、これら手段の組み合わせが有利に利用されることができないことを示すものではない。
【００２５】
本発明の表示パネルのこれらの及び他の態様は、図面を参照しながら更に説明され明らかとされるであろう。
【００２６】
全ての図において、対応する部分は同一の参照番号により参照される。
【発明を実施するための最良の形態】
【００２７】
図１乃至３は表示パネル１の例を示し、表示パネル１は、第１の基板８、第２の透明な対向基板９、及び画素２である複数の光変調素子２を持つ。好ましくは、画素２は２次元構造において略直線に沿って配置される。例えばハニカム配置のような、画素２の他の配置も可能である。アクティブマトリクス型の実施例においては、画素２は更に、薄膜トランジスタ（ＴＦＴ）、ダイオード又はＭＩＭ素子等のような切り換え素子を有しても良い。
【００２８】
画素２は、電気泳動媒体５を持つ。電気泳動媒体５は流動体中の荷電粒子６を持ち、基板８と基板９との間に存在する。電気泳動媒体５は、それ自体例えば米国特許出願公開2002/0180688から知られている。粒子６と前記流動体とは、異なる光学的特性を持つ。粒子６はいずれの色を持っても良く、前記流動体は粒子６の色と異なるいずれかの色を持つか、又は透明であっても良い。粒子６の色の例は例えば赤、緑、青、黄、シアン、マゼンタ、白又は黒である。粒子６は、光を散乱させるために十分に大きくても良く、又は光を略散乱させないために十分に小さくても良い。前記流動体は、例えば液体又は気体であっても良い。
【００２９】
画素２は、観測者によって観測されるための観測面９１を持つ。更に、画素壁を形成する障壁５１４が、画素２を周囲から分離する。画素２の光学的状態は、粒子６の位置に依存する。
【００３０】
透過モードにおいては、画素２の光学的状態は、第１の基板８の側面９２側において画素２に入射する可視スペクトルのうち、第１の基板８、媒体５及び第２の基板９を横断する累積的影響にも残存する部分によって決定される。反射モードにおいては、画素２の光学的状態は、第２の基板９側において画素２に入射する可視スペクトルのうち、第２の基板９及び媒体５を横断し、次いで反射性であるか又はいずれかの色を持っていても良い第１の基板８の表面１５と相互作用し、次いで再び媒体５及び第２の基板９を横断する累積的影響にも残存する部分によって決定される。
【００３１】
前記流動体が画素２の光学的状態に略寄与しないものである場合、媒体５によって透過させられる光の量及び色は、粒子６の位置及び色によって制御される。粒子６が画素２に入射する光の経路上に位置する場合、粒子６は該光の選択された一部を吸収し又は散乱させ、残りの光が透過される。粒子６が画素２に入射する光の経路から略取り除かれた場合、該光は画素２を通過し、かなりの可視の変化なく現れる。それ故、観測者に観測される光は、画素２における粒子６の分布に依存する。
【００３２】
コントローラは、画素２をリセットするためのリセット光学状態を画素２に与え、それによりリセット画像情報を表すリセット画像を表示し、次いで画像情報を表す画像を表示するための光学状態を画素２に与える。ここで、前記リセット画像は前記画像と関連がないものである。コントローラは、各画素２について、電位差を受信するための電極１０及び１１を持つ。更に、コントローラは、電位差を制御するように構成された駆動手段１００を持つ。本例においては、電極１０及び１１のそれぞれが、媒体５に面する略平坦な面１１０及び１１１を持つ。更に、本レイアウトにおいては、電極１０及び１１は、粒子６が観測面９１に平行な平面を移動することを可能とするように構成される。
【００３３】
画素レイアウトの他の例が、図４に示される。図４において、第１の基板８が各画素２について第１の電極１０を持ち、第２の基板９が各画素２について第２の電極１１を持つ。本例においては、電極１０及び１１のそれぞれが、媒体５に面する略平坦な面１１０及び１１１を持つ。更に、本レイアウトにおいては、電極１０及び１１は、粒子６が観測面９１に垂直な平面を移動することを可能とするように構成される。各画素２は、第１及び第２の極端な光学的状態の一方、及び第１の極端な光学的状態と第２の極端な光学的状態との間の中間の光学的状態を持つ。例として、電気泳動媒体５は、白色の流動体中に、負に帯電した黒色の粒子６を有する。１５ボルトの電位差により荷電粒子６が第１の電極１０の近くに位置する場合、画素２は第１の極端な光学的状態（即ち白色）を持つ。反対の極性の電位差、即ち−１５ボルトの電位差により荷電粒子６が第２の電極１１の近くに位置する場合、画素２は第２の極端な光学的状態（即ち黒色）を持つ。例えば明るいグレー及び暗いグレーのような中間の光学的状態は白色と黒色との間のグレーレベルであり、粒子６に異なるエネルギー（エネルギーは電位差と該電位差の継続時間との積として定義される）を与えることにより得られる。
【００３４】  更に、コントローラは、以前の画像情報を表す以前の画像を表示するための光学的状態を画素２に与え、その後に画素をリセットするためのリセット光学的状態を画素２に与えるように構成される。ここでリセット画像は前記以前の画像と関連しないものである。図５Ａ乃至５Ｃは、一例を示す。特に人間の絵と何らかのテキストとを示す図５Ａにおいては、画素２は以前の画像情報を表す以前の画像を表示するための光学的状態を持つ。次いで駆動手段１００が、リセット光学的状態を画素２に与えるために画素２にリセット電位差を印加し、それによりリセット画像情報を表すリセット画像を表示する。リセット画像は図５Ｂに示され、広告情報（本例においては（公序良俗違反につき、不掲載）のロゴ）を表す。次いで駆動手段１００は、画像を表示するための光学的状態を画素２に与えるため、画像電位差を印加する。該画像、即ちボトルと２つのグラスが、図５Ｃに示されている。リセット画像は該画像及び以前の画像のいずれとも関連するものではない。本例においては、画素のリセットは、非常に可視的にされる。本例においては、リセットは、以前の画像の消去と現画像の描画との間に、追加的な表示情報を導入する機能を持つ。画像更新のシーケンスはそれ故（図５Ａ乃至５Ｃを参照されたい）、以前の画像−＞リセット画像−＞現画像、となる。リセット画像は単に１ビット画像（色フィルタ装置を持つ表示パネル又は各層に１つの色付きの粒子タイプを持つ積層表示パネルにおいて、色毎に１ビットであっても良い）であっても良く、一方で以前の画像及び現画像は一般により多くのビットの情報を含むであろう。リセット画像は、２つの所望の画像の間に、要求されていない（広告）画像を挿入するために利用され得る。このようにして、保証された広告の露出を伴う（ページが変化する度に広告画像が出現するため）、電子書籍／電子新聞／電子雑誌を販売するためのビジネスモデルの基礎を形成し得る。【００３５】
先行技術による電気泳動表示パネルにおいては、画像は一般に、画素毎に現画像の内容を（保存された）以前の画像と比較し、全てのとり得る光学的な遷移について駆動波形を定義することにより更新される。例えば、２ビット表示パネルにおいては、以前の画像における４つの明るさレベルのいずれかから、現画像における４つの明るさレベルのいずれかへの、全てのとり得る遷移を考慮するため、１６個の波形がある。更なる画像波形は必要とされない。なぜならリセット状態は、現画像によって（国際特許出願公開WO2004/034366-A1に開示される電気泳動表示パネルにおけるように）、又は全てのリセット画像が同じであるという事実によって（米国特許US6,704,113に開示された電気泳動表示パネルにおけるように）、常に一意的に定義されるからである。本発明による電気泳動表示パネルにおいては、更なる駆動波形及び画像メモリが必要とされる。画像更新のためのとり得る方法は、以下のようになる：
・以前の画像、（１ビットの）リセット画像及び現画像の内容を比較する。このことは、追加的な画像メモリを必要とする。しかしながら該メモリは小さくて良い（画像が１ビットのみであるから）。
・各画素２について、該比較に依存する駆動波形を定義する。各リセット光学的状態はランダム的に黒色又は白色であり得るため、このことは追加的な駆動波形が必要であることを意味する。最も単純な状況においては、駆動波形の数が倍になる。各とり得るリセット光学的状態について１セットである（上述した２ビット表示パネルの例においては１６乃至３２）。
・各画素２に駆動波形を印加し、これにより以前の画像と現画像との間にリセット画像が適宜出現する。
【００３６】
他の例においては、リセット電位差は、可能な限り駆動波形の開始に近く位置し、これによりリセット画像が可能な限り迅速に出現することを保証し、可視性を最大化させる。先行技術の波形においては、リセット電位差は、画像の遷移を滑らかにするためか、又は他の理由のために（即ちクロストークを低減させるために）、しばしば遅延される。
【００３７】
例えば各広告主により支払われた金額に依存して、リセット画像の継続時間を変化させることが望ましくなり得る。この特徴は、ビジネスモデルの一部となり得る。
【００３８】
リセット時間の増大は、リセット画像が生成された後に波形に対して非駆動期間を導入するか、又は波形におけるリセット電位差の継続時間を増大させることにより（例えば波形の当該部分の間のフレーム期間を増大させることにより）実現され得る。図６を参照されたい。増大された継続時間は、画像の品質に対して有利であり（画像の残留及びゴーストを低減するため）、それ故本手法は好適であり得る。
【００３９】
一般に、電気泳動表示パネル１における画像の品質は、画像が描画されパワーがオフにされた後（即ち表示パネル１が双安定状態になったとき）、僅かに減少する。例えば、黒色及び白色の画素２が、僅かにグレーになる。画像の品質を所望のレベルにまで回復させるため、所謂画像のリフレッシュが利用され、ここでは同一の画像が表示パネル１に対して再描画される。このことは、所定の時間の後に起こっても良い。実施例においては、リセット（広告）画像は、画像リフレッシュシーケンスに挿入される。ここでもまた、例えばビジネスモデルの一部として、費用が高いほどリフレッシュ間の短い期間に帰着するように、画像更新の頻度が各広告主により支払われた金額に依存しても良い。
【００４０】
上述の実施例は、例えば電子新聞に基づく、電気泳動表示パネル１に関連して説明されたが、例えば強誘電性液晶ディスプレイ、ＭＥＭベースのディスプレイ（moving foil display又はrolling foil displayのような）、エレクトロクロミックディスプレイ又はelectro-wettingディスプレイのような、画像更新の間に画素のリセットを利用し得る他の表示パネルに対しても適用可能である。
【図面の簡単な説明】
【００４１】
【図１】表示パネルの実施例の前面図を図示する。
【図２】画素のレイアウトを表す、図１における線II−IIによる断面図を図示する。
【図３】図２における線III−IIIによる断面図を図示する。
【図４】画素の他のレイアウトを図示する。
【図５（Ａ）】画像の更新の要素を示す図であり、以前の画像を示す。
【図５（Ｂ）】画像の更新の要素を示す図であり、リセット画像を示す。
【図５（Ｃ）】画像の更新の要素を示す図であり、現画像を示す。
【図６】リセット画像の継続時間を増大させる２つの方法を示す模式的な駆動波形を示す。
【図１】
2008537159.tif 000003
【図２】
2008537159.tif 000004
【図３】
2008537159.tif 000005
【図４】
2008537159.tif 000006
【図５Ａ】
2008537159.tif 000007
【図５Ｂ】
2008537159.tif 000008
【図５Ｃ】
2008537159.tif 000009
【図６】
2008537159.tif 000010
【国際調査報告】
2008537159.tif 000011
2008537159.tif 000012